(57)【要約】【課題】  例えばＤＶＤ＋ＲＷのようにＣＥＬＬの番号を変更しつつ記録しなくてはならない媒体では、ビデオカメラでの撮影のように記録と停止の間隔が短い記録を繰り返されると、媒体の容量に満たなくともＣＥＬＬの制限値に達してしまい、記録停止が必要になる。よって、ユーザは意図しない記録停止をこうむる。【解決手段】  記録中に媒体の容量（６０１、６１１、６２１）だけでなく、ＣＥＬＬの残数も連動するような残量算出と表示（６００、６１０、６２０）を行うようにする。容量の残量に残ＣＥＬＬを連動させることで徐々に残量が減少し、突然記録停止が起きたと感じさせないことができる。【選択図】  図６
2007294052.tif 000002
【特許請求の範囲】
【請求項１】
媒体に情報を記録する記録装置であって、
媒体で情報が記録される領域の構成単位の情報を取得する構成単位情報取得部と、
前記構成単位情報取得部で取得した構成単位の情報に基づいて、第１の記録可能残量を出力する残量制御部とを含む。
【請求項２】
請求項１の記録装置であって、
前記残量制御部は、前記構成単位に加えて媒体の記録容量にも基づいて、前記第１の記録可能残量を出力する。
【請求項３】
請求項２の記録装置であって、
前記残量制御部により前記第１の記録可能残量が所定量を下回ると、媒体への記録を停止するよう制御するシステム制御部を更に含む。
【請求項４】
請求項２の記録装置であって、
前記残量制御部は、前記構成単位の残量の割合に応じて前記第１の記録可能残量を出力する。
【請求項５】
請求項２の記録装置であって、
前記残量制御部は、記録済みの構成単位当たりの記録済みの容量又は時間に応じて前記第１の記録可能残量を出力する。
【請求項６】
請求項１の記録装置であって、
前記残量制御部は、媒体の記録容量に基づく第２の記録可能残量を出力し、
前記残量制御部に出力された前記第１の記録可能残量と前記第２の記録可能残量とを表示する表示部を更に含む。
【請求項７】
請求項６の記録装置であって、
前記表示部は、前記第１の記録可能残量を、前記構成単位の未記録の単位数、又は、前記構成単位の残量の割合として表示する。
【請求項８】
請求項１の記録装置であって、
前記残量制御部は、媒体の記録容量に基づく第２の記録可能残量を出力し、
前記残量制御部に出力された前記第１の記録可能残量と前記第２の記録可能残量との割合又は差が所定以上の場合、前記記録装置の操作者に向けた通知を発する出力部を更に含む。
【請求項９】
請求項１の記録装置であって、
動画のデジタル情報を入力する入力部と、
媒体への情報の記録と前記記録の停止との指示操作を受ける操作部と、
前記操作部の指示に応じて媒体への記録及び停止を制御する媒体制御部とを更に含み、
前記媒体制御部は、前記操作部で記録の指示操作を受けると、前記入力部で入力したデジタル情報を前記構成単位のうち第１の構成単位に情報を記録し、前記第１の構成単位の容量を超えてデジタル情報を記録するとき、第２の構成単位に情報を記録し、前記操作部で記録の停止の指示操作を受けると前記第２の構成単位への記録を停止し、前記操作部で記録の操作指示を再度受けると、第３の構成単位にデジタル情報を記録する。
【請求項１０】
請求項１から９のいずれかの記録装置であって、
前記第１の記録可能残量は、記録可能時間である。
【請求項１１】
請求項１から１０のいずれかの記録装置であって、
前記構成単位は、個別の識別情報を付され、且つ、構成単位の数が制限されている。
【請求項１２】
請求項１から１０のいずれかの記録装置であって、
前記構成単位は、Ｖｉｄｅｏ Ｏｂｊｅｃｔに含まれるＣＥＬＬである。
【請求項１３】
媒体に情報を記録する記録装置であって、
媒体への情報の記録と前記記録の停止とを制御する媒体制御部と、
媒体への記録可能残量を出力する残量制御部とを含み、
前記残量制御部による記録可能残量の出力は、同じ容量の情報を記録した場合に、媒体制御部により第１の間隔で記録及び停止したときの前記記録可能残量の減少量よりも、前記第１の間隔より短い第２の間隔で複数回記録及び停止したときの前記記録可能残量の減少量が大きい。
【請求項１４】
請求項１３の記録装置であって、
媒体への情報の記録と前記記録の停止との間隔が所定の間隔より短いとき、前記記録装置の操作者に向けた通知を発する出力部を更に含む。
【請求項１５】
請求項１３又は１４の記録装置であって、
光学像を映像信号で入力する光学素子と、
音声を音声信号で入力するマイクとを更に含む。
【請求項１６】
媒体に情報を記録する記録装置であって、
媒体の種別の情報を取得する媒体制御部と、
前記媒体制御部で取得した種別の情報に応じて、媒体の記録可能残量のモードを切り替える残量制御部とを含む。
【請求項１７】
請求項１６の記録装置であって、
前記残量制御部は、媒体の記録領域の構成単位に基づく記録可能残量を出力するモードと、前記構成単位に基づかない記録可能残量を出力するモードとを切り替える。
【請求項１８】
動画を記録するビデオカメラであって、
動画情報を入力する撮像部と、
ＤＶＤ＋ＲＷ又はＤＶＤ＋Ｒに情報を読み書きするリードライト部と、
前記リードライト部で取得したＤＶＤ＋ＲＷ又はＤＶＤ＋ＲのＣＥＬＬ数に基づいて、記録可能残量を出力する出力部とを有する。
【請求項１９】
媒体に情報を記録する記録装置であって、
画像音声情報を入力する入力部と、
媒体を搭載し、前記入力部で入力した画像音声情報を媒体へ読み書きする媒体制御部と、
前記入力部で入力した画像音声情報の管理情報を記憶する記憶部と、
充電された電力を供給する電源部と、
媒体の容量と、媒体の記憶領域の構成単位の量及び前記記憶部の管理情報の記憶容量及び前記電源部の充電容量のうち少なくとも一つとに基づいた記憶可能残量を出力する残量制御部とを含む。
【発明の詳細な説明】
【技術分野】
【０００１】
技術分野は、ディスクなどに情報を記録する記録装置に関し、特に記録可能残量の通知に関する。
【背景技術】
【０００２】
記録装置において、記録可能残量（残り撮影時間など）を通知する技術がいくつかある。
【０００３】
例えば、特許文献１には、「入力画像を圧縮している現在のビットレートと記録媒体の現在の記録媒体の残容量とに基づいて、記録残量情報算出手段により、記録残量情報を算出し、表示手段により、当該算出した記録残量情報を表示する」と、記載されている。
【０００４】
また、特許文献２には、「モニタ画面に表示するリアルタイムカウンタと記録可能残量時間の同期をとることで、ユーザにとって違和感の無いカウンタ情報の表示形態を提供する」と、記載されている。
【０００５】
【特許文献１】特開平１１−３２８９３７号公報
【特許文献２】特開２００４−３１８９７５号公報
【発明の開示】
【発明が解決しようとする課題】
【０００６】
近年、デジタル情報を記録する媒体として、テープからディスクへの移行が進んでいる。ディスクは、ランダムアクセス可能なため、巻き戻し不要で上書きの心配がなく、記録した情報の検索や再生が容易である。
【０００７】
ディスクの代表例としてＤＶＤが挙げられる。ＤＶＤには、いくつかの規格がある。１０万回の書き換えが可能というＤＶＤ−ＲＡＭ、このＲＡＭに採用されているビデオレコーディング規格とＤＶＤ−ＲＯＭで採用されているビデオ規格の両方に対応したＤＶＤ−ＲＷ、既存のプレーヤとの互換が高いＤＶＤ−Ｒが、ＤＶＤフォーラムで策定されている。また、ＤＶＤ＋ＲＷアライアンスという団体でＤＶＤ＋ＲＷやＤＶＤ＋Ｒが策定されている。
【０００８】
ＤＶＤ＋ＲＷやＤＶＤ＋Ｒ（以下、＋系の媒体ともいう）は、最新のゼロリンキング技術（CD-Rメディアなどにデータを書込む際、ドライブへのデータ転送速度が書込み速度に追いつかず書込みに失敗してしまう「バッファアンダーランエラー」を回避して、安定した書込みを実現する機能。）を用いることにより既存のプレーヤとの互換が向上している。更に、ＤＶＤ＋ＲＷは、オーサリング向けのビデオ規格をベースにしながら簡易ながらＤＶＤ−ＲＡＭのように編集が可能である。また、従来、既存のプレーヤで再生する為には、ファイナライズを行う必要があるが、＋系の媒体の場合には製品から取り出す時に自動的にファイナライズを行う為、いちいちファイナライズを行うという手間が省ける。
【０００９】
このＤＶＤ＋ＲＷの基本のデータ構造は、ビデオ規格に準拠しているがビデオ規格よりも制限が多い。ＶＯＢＳの制限などもあるが、ここではＣＥＬＬの制限について説明する。
【００１０】
図２を用いてＶＦ（ＤＶＤビデオフォーマット）準拠のデータ構成について説明する。図２（ａ）はＣＥＬＬ＿ＩＤが全て１の場合であり、図２（ｂ）はＣＥＬＬ＿ＩＤが更新される場合を示している。
【００１１】
まず、映像音声のデータ全体をＶＯＢＳ（Video OBject Set）２００と呼ぶ。このＶＯＢＳ２００は、複数のＶＯＢ（Video OBject）から構成されている。これが２０１である。このＶＯＢ２０１は、複数のＣＥＬＬから構成されている。このＣＥＬＬとは、再生するときに制御される最低限のデータのまとまりであり、映像・音声・ナビ情報のパックから構成されている。例えばＤＶＤ−Ｒにビデオ規格準拠で記録をするときは、元々ＣＥＬＬ＿ＩＤの最大値は２５５と規定されているので、この制限を避ける為、通常ＣＥＬＬ＿ＩＤを全て１とすることが多い。これが２０２である。つまり、ビデオ準拠の構成としては、（ａ）が一般的である。
【００１２】
しかし、ビデオ規格準拠であるＤＶＤ＋ＲＷにはＣＥＬＬ＿ＩＤについて次の規定がある「ＣＥＬＬ＿ＩＤは、同じ値ではなく、ユニークな値で１から２５４である。また、ＶＯＢの最後を示すバッファセルのＣＥＬＬ＿ＩＤは２５５とすること」。つまり、このような制限をもつ媒体に記録をする場合には、（ｂ）に示すようＣＥＬＬ＿ＩＤを更新していき２５５は超えないようにＣＥＬＬを生成しなければならない。
【００１３】
なお、ＶＯＢにもあるＶＯＢ＿ＩＤＮに関しては、逆に全て１とすることが規定されている為、ＤＶＤ−Ｒの場合には２０２のような構成が一般的だが、ＤＶＤ＋ＲＷの場合には、２０３のように全て１とする必要がある。
【００１４】
このＣＥＬＬは、記録中に数十秒毎に生成されていく。なお、このＣＥＬＬの時間は、内部で持つバッファの大きさに依存する。これはＣＥＬＬ内のナビパックに、ＣＥＬＬの情報間（例えばある特定の時間に対して過去及び未来に記録された情報）を連携するための情報を展開しておくため、バッファに展開できる大きさに限られるためである。よってＣＥＬＬの長さはこのバッファのサイズよりも小さくなることが多い。製品によって異なるが、例えば記録レートは３Ｍｂｐｓの場合にはＣＥＬＬの時間は約６０秒程度である。また、一回の記録をシーンと呼ぶとするとＣＥＬＬは再生の最小単位なので、シーンが作成される毎にＣＥＬＬは一旦閉じられなければならない。つまり、上記のように例えば３Ｍｂｐｓの記録レートで１０秒程度毎に記録を続ける、すなわち１０秒程度のシーンを続けると、１０秒程度のＣＥＬＬが増加してしまう。これらのＣＥＬＬは６０秒に満たないものの、１つのＣＥＬＬであるから２５４ＣＥＬＬで制限される。よって、２５４ＣＥＬＬ＝２５４シーンを記録したところで次の記録が禁止されてしまう。記録機は規格に準拠する為に記録を禁止しなければならないからである。
【００１５】
図３を用いて、更に説明する。記録レートは３Ｍｂｐｓとし、ＣＥＬＬの時間は約６０秒とする。図３（ａ）は、２５３個のＣＥＬＬ（１０秒＊２５３シーン：１０秒で閉じられたＣＥＬＬで構成されている）を持つＶＯＢの状態から記録を開始することを示す。この状態から記録開始すると、約６０秒後にＣＥＬＬが１個作成される。しかしそのままにしておくと図３（ｂ）で示すように更にＣＥＬＬ＿ＩＤ＝２５５のＣＥＬＬも作成してしまう。なお、２５５ＣＥＬＬをバッファセルともいう。その為、２５５のＣＥＬＬを作成する直前に、もしくはＣＥＬＬ＿ＩＤ＝２５４のＣＥＬＬが完成したところで記録を停止する必要がある。図３の場合、約４２分程度記録してあるので、従来のように媒体の容量に基づけば残量は約１８分あるはずである。つまり、従来の残量表示では１８分と表示されているところ、実際には記録ができない、記録が途中で停止してしまうという問題が発生してしまう。この場合、ユーザに対して、残記録時間が残っているにもかかわらず記録ができない、意図しないタイミングで記録が停止してしまう、などの不便をかけてしまいかねない。また、突然に記録が禁止されるので大事な撮影チャンスを逃してしまうかもしれない。
【００１６】
特許文献１も特許文献１は、可変ビットレートによる記録可能残量の変化を考慮しているものの、ＣＥＬＬなどの上限値などは考慮していないため、同様の問題が発生するおそれがある。言い換えれば、ビットレートが一定であったとしても、ＣＥＬＬ数が２５４になってしまえば媒体の容量が残っていたとしても記録ができなくなってしまう問題が発生し得る。
【００１７】
本問題は、ＤＶＤ＋ＲＷのＣＥＬＬに限定されない。例えば、記録領域の容量とは別に、記録領域の構成単位（例えば、ＣＥＬＬに相当するもの）に制限が設けられている場合に発生する。
【課題を解決するための手段】
【００１８】
そこで例えば、媒体の記録領域の構成単位の残量に基づく記録可能残量の通知、又は、媒体の記録領域の構成単位の残量と記録領域の容量に基づく残量とを併用して通知する記録装置を提供する。
【発明の効果】
【００１９】
ユーザに対し、より頼りになる記録可能残量を知らせることができる。
【００２０】
なお、上述した以外の課題、手段、効果は、後述する実施形態の説明の中で明らかにされる。
【発明を実施するための最良の形態】
【００２１】
以下、図面を参照して本発明の実施に好適な実施形態の例を説明する。例としてＤＶＤ＋ＲＷに対応したビデオカメラを用いて説明する。ただし、本発明は、本実施例に限定されない。例えば、ＤＶＤではなくＢＤやＨＤ−ＤＶＤであってもよく、カメラではなく据え置きのレコーダであってもよく、その他にも、記録領域の容量とは別に記録領域の構成単位（ＣＥＬＬに相当するもの）に制限が設けられている媒体に記録する装置やシステムに好適である。論理的な記録領域の構成については、図２と図３の説明にて上述した。補足すると、ＣＥＬＬとは、ＶＦなどで規定されており、再生されるコンテンツの基本単位である。一つのセルは整数個のビデオオブジェクトユニット（ＶＯＢＵ）で構成される。一つのセルを一つのビデオタイトルセット内の異なるプログラムチェーン（ＰＧＣ）で用いることができる。ＰＧＣは管理情報であり、セルを再生順に指定するリストをもつ。制限とは、必ずしも以下を全て備える必要はないが、構成単位当たりに記録できる容量は可変であるが限界容量があり、再生するためには構成単位を閉じることが要求され、単位の固有情報（ＩＤ）を個々に変更しなくてはならず、且つ、その固有情報を有限にしか設定できない、という制限である。なおここで、容量とは、例えばＭＢの単位などで表される、媒体に記憶できる情報の量を示す。なお、媒体の記憶できる容量の残りは、例えば、媒体の物理的（固定された）な領域であるセクタアドレスによって取得する方法などがある。
【実施例１】
【００２２】
図１は、ＤＶＤ＋ＲＷに記録できるビデオカメラの構成例を示す。１００は、映像音声を入力する入力部であり、レンズ、ＣＣＤ（Charge Coupled Devices。撮像素子ともいう）、マイクを含む。Ａ／Ｄ変換器により映像と音声をデジタル信号として出力する。１０３は、ユーザからの操作を受ける操作部であり、録画／停止ボタンやズームボタンなどを含む。１０１は、ＡＶ情報処理部である。１０１は、入力部１００から取り込まれた映像と音声を圧縮し、それぞれからビデオストリームとオーディオストリームを生成するストリーム生成機能を含む。映像の信号処理やオーディオのフィルタなどを搭載しても良い。１０２は、媒体の種類を識別しフォーマットを媒体に合った規格に準拠した情報を生成するフォーマット処理部である。ＡＶ情報処理部１０１は、１０２で生成された情報と１０１で生成されたビデオストリームとオーディオストリームとを多重化し映像音声のかたまりであるプログラムストリームを生成する多重分離制御機能も含む。媒体に記録された情報を再生するときには、多重化されたプログラムストリームからビデオストリームとオーディオストリームを分離する。１０４は、１０１で生成されたプログラムストリームなどを格納しておく為のバッファであるメモリである。また、媒体から読み取った情報（記録開始位置や記録容量）や装置の情報（例えば、後述する光ピックアップのパワー値）を１０４に記憶しておいてもよい。１０５は、ビデオカメラに電力を供給する電源部である。充電されたバッテリから電力を供給しても良いし、プラグソケットから交流電源を供給しても良い。１０６は、媒体に読み書きするリーダライタ部（Ｒ／Ｗ部）であり、本実施例ではＤＶＤ＋ＲＷに情報を読み書きできる。１０６には、光ピックアップ、アクチュエータ、媒体を回転させるモータ、ドライバが含まれる。なお、１０４に例えば動画情報をバッファするに当たり、ある程度の容量又は時間の動画情報をためてから、バッチ処理で媒体に書き込むこと（間欠記録）で媒体Ｒ／Ｗ部１０６の消費電力を低減することができる。１０８は、１０６で読み取った情報から残容量を求め、また、１０２からはＣＥＬＬの残数を算出してから記録可能残量を算出する残量制御部である。ただし、媒体から読み取った情報に限らず、メモリ１０４に記憶、更新した情報に基づいて記録可能残量を求めてもよい。１０９は、映像の再生や音声の再生を行う出力部であり、ＬＣＤ（Liquid Crystal Display。表示部ともいう）、スピーカを含む。１０２で算出した記録可能残量もこの出力部のＬＣＤに表示される。１０７は、ビデオカメラ全体を管理するシステム制御部である。各部を制御する機能（入力制御機能、媒体制御機能、出力制御機能など）を有する。１０１と１０２と１０７と１０８は、ソフトウェアがＣＰＵなどのマイクロコンピュータで実行されるものとする。しかし、個別のハードウェアで実行されてもよい。
【００２３】
図７は、図１で示した構成例を別の表現で示している。ハイフンの前の番号は、図１の各構成の番号と共通であり、詳細は上述した。１００−１はレンズ、１００−２はＣＣＤ、１００−３はＡ／Ｄ変換器、１００−４はマイク、１００−５はアンプ、１００−６はＡ／Ｄ変換器（Ｄ／Ａ変換器）である。１０１−１は映像信号処理部、１０１−２は映像圧縮伸張部、１０１−３は音声圧縮伸張部、１０１−４は多重／分離部である。１０９−１は表示部、１０９−２はスピーカである。表示部は、ファインダ内の表示部と、ビデオカメラの筐体の外側に設けられた可動式の表示部とに分かれていてもよい。メモリ１０４を省略しているが、複数設けられていてもよいし、図７の各構成からアクセス可能であってもよい。電源部１０５も省略しているが、システム制御部１０７によって制御され、図７の各構成に電力を供給する。なお図７は簡単のため必ずしも全ての回路線を表記してはおらず、図１のように全ての構成が相互に接続されていてもよい。
【００２４】
以下、特に記録可能残量の管理の詳細について説明する。
【００２５】
ユーザから記録の指示を操作部１０３で受けると、システム制御部１０７が入力部１００から映像（動画）、音声の取り込みを始める。取り込まれた映像信号を、ＡＶ情報処理部１０１がカメラの信号処理などを施し、ＭＰＥＧ２（Moving Picture Experts Group 2）で圧縮してビデオエレメンタリストリームとする。取り込まれた音声信号を、フィルタなどを通過した後、ＡＣ３（Audio Code number 3）の圧縮を行いオーディオエレメンタリストリームとなる。なお、圧縮（符号化）形式は、本実施例に限定されない。例えば、ＭＰＥＧ４やＭＰ３（MPEG Audio Layer-3）であってもよい。
【００２６】
フォーマット処理部１０２では、ＡＶ情報処理部１０１で生成されたビデオエレメンタリストリームとオーディオエレメンタリストリームに対してＤＶＤ＋ＲＷに準拠したフォーマットの為の管理情報を生成する。ここでＣＥＬＬ＿ＩＤが管理される。そして、プログラムストリームが生成されてメモリ１０４に書き込まれる。なお、このときの情報の管理は、規格の情報だけでなく独自の管理ファイルなどを使用しても良い。特に、ＤＶＤ＋ＲＷのフォーマットはＤＶＤビデオ規格がベースであり、基本的にオーサリング用のフォーマットである。すなわち、文字や画像、音声、動画といったデータを編集することに向いているフォーマットである。リアルタイムで記録する場合には、規格の情報だけでなく、規格とは別の記録装置の管理ファイルなどを利用した方が良い場合もある。メモリ１０４に書かれたプログラムストリームは、媒体Ｒ／Ｗ１０６によって記録される。
【００２７】
残量制御部１０８の処理を説明する。媒体Ｒ／Ｗ部１０６から記録後のディスクの残容量を取得する。そこから現在の記録レートを基に残りの記録時間を算出（出力）する。算出式は例えば以下である。
記録可能残量Ａ＝残容量／記録レート
具体例として、３Ｍｂｐｓの記録レートで１２分程度記録した場合の記録可能な残時間を計算する。カメラで仕様される８ｃｍディスクの片面の容量は約１．４ＧＢであるが、実際に記録できる容量は約１．３２ＧＢ程度である（ただし製品のよって若干の違いはある）。また、３Ｍｂｐｓの記録レートで１２分程度記録するための容量は、（１２分）＊（６０秒／分）＊（３Ｍｂｐｓ）／（８バイト／ビット）＝約２７０ＭＢ。よって１２分記録した後の残容量は、（１．３２ＧＢ）＊（１０２４ＭＢ／ＧＢ）−（２７０ＭＢ）＝１０８１ＭＢである。よって、記録可能残量Ａ（残記録時間Ａ）＝（１０８１ＭＢ）＊（８バイト／ビット）／（３Ｍｂｐｓ）／（６０秒／分）＝約４８分。
【００２８】
次に残ＣＥＬＬ数により記録可能残量Ａを補正する処理を説明する。
【００２９】
残量制御部１０９でシステム制御部１０６を通して記録後のディスクの残容量を取得する際に、フォーマット処理部１０２から現在生成されているＣＥＬＬの情報を取得する。フォーマット処理部１０２を構成単位情報取得部ということもある。具体的にはＣＥＬＬ＿ＩＤの情報であるが、一般的にはＣＥＬＬの個数とＩＤの値は同一となるのでＩＤ番号を現状のＣＥＬＬの数と判断できる。ＣＥＬＬの最大値は２５４と規定されているので、これ以降記録ができる残ＣＥＬＬ数は（２５４-現在ＣＥＬＬ数）で算出できる。記録する毎にＣＥＬＬの数が減っていくので容量よりも先に残ＣＥＬＬ数が０となったら記録を禁止しなければならない。それは、残量が０と同じ意味と捉えることができる。そこで、本実施例では、記録可能残量ＡにＣＥＬＬの残数の割合（率）を掛け合わせることで容量と残ＣＥＬＬの両方の要因を含めた残量表示を実現する。具体的に新残量表示は例えば以下とする。
記録可能残量Ｂ＝記録可能残量Ａ＊（（２５４−現在のＣＥＬＬ数）／２５４）
具体例として、上述と同様に３Ｍｂｐｓの記録レートで１２分程度記録した場合について、ただし特に、１０秒毎に記録・停止を繰り返して１２分程度記録した場合の記録可能な残時間を計算する。（１２分）＊（６０秒／分）／１０秒＝７２シーン記録しているので、ＣＥＬＬ数は７２となる。すると、記録可能残量Ｂ（残記録時間Ｂ）＝（４８分）＊（（２５４−７２）／２５４）＝３４分。
【００３０】
このように算出された残記録時間Ａと残記録時間Ｂを、出力部１０９に表示する例をそれぞれ図５と図６に示す。５０２、６０２は出力部１０９のＬＣＤの画面であり、入力部１００のＣＣＤで入力した映像をカメラスルー表示しているものとする。５０３、６０３は、記録モードを示し、ここではＳＴＤモードで３Ｍｂｐｓ程度の記録レートが設定されていることを示す。５０４、６０４は、ビデオカメラに挿入されている媒体の種類を示しており、ＤＶＤ＋ＲＷであることがわかる。図５と図６に図示していないが、電源部１０５に充電された残電力の目安を表示すると更によい。
【００３１】
図５（ａ）と図６（ａ）は、初期化直後、すなわち未記録の状態である。図５（ｂ）と図６（ｂ）は、１０秒毎に記録・停止を繰り返して１２分程度記録したときの状態である。図５（ｃ）と図６（ｃ）のように、残ＣＥＬＬ数がなくなった状態である。
【００３２】
図５（ａ）と図６（ａ）では、５０１、６０１で示すように残記録時間は６０分あり、５００と６００では、残時間の表示が６０分となっている。なお、５０１、６０１はディスクの容量をイメージ化したものであり、図５と図６では表示画面に含まれていないが、表示してもよい。
【００３３】
図５（ｂ）と図６（ｂ）では、５１１と６１１に示すように、ディスクの容量としては６０分−１２分＝４８分が残っている。図５（ｂ）の５１０では、そのまま４８分と表示している。しかし、本実施例では、残ＣＥＬＬ数により補正した残記録時間Ｂを、残時間の表示として採用し、６１０のように３４分と表示している。このような図６の処理と表示によって、媒体の容量と残ＣＥＬＬの減少と共に、徐々に残量表示の値が減少していく。
【００３４】
図５（ｃ）と図６（ｃ）では、容量が５２１と６２１で示すように１８分の相当分が残っているものの、残ＣＥＬＬ数がなくなっている場合ので、図５（ｃ）では５２０のように残り１８分と表示しているものの、もう記録できない。ユーザには、残量がなくなった場合にこれ以上記録ができない旨を例えばメッセージ５２２のように「もう記録できません」と知らせるのが好ましい。また、図６（ｃ）では６２０のように０分と表示することでき、このように、媒体の容量がいっぱいになるよりも先に残ＣＥＬＬが０になる状態であっても、徐々に残時間が減っていくので、ユーザは、残り２，３分程度になればもうなくなるな、と意識することが可能であり、突然記録が停止したようには思わない。なお、残量がなくなった場合とは、完全にゼロである必要は無く、設定された所定量以下又は下回った場合を指す。
【００３５】
さらに、図４を用いて残ＣＥＬＬを考慮しない記録可能残量Ａ（残量Ａ）と記録可能残量Ｂ（残量Ｂ）の挙動の相違の概要を示す。図４は、残量の算出方法の違いによるＣＥＬＬと時間の関係を示した図である。縦軸は、残時間（分）であり、横軸は、ＣＥＬＬ＿ＩＤを示す。４００は、容量を基にした記録可能残量Ａであり、４０１は、ＣＥＬＬの残数を連動した記録可能残量Ｂを示す。条件は、直径８ｃｍのＤＶＤ＋ＲＷに、３Ｍｂｐｓの記録レートで１０秒づつ記録・停止を繰り返したものとする。
【００３６】
残量Ａは、ほぼ直線的に推移しているのがわかる。一方、残量Ｂは、残量Ａよりも早く残量が減っていくのがわかる。早く残量が減るということを言い換えると、元々６０分が記録できると表示されている状態で、同じ容量（例えば１５０ＭＢ）又は時間（例えば１０分）の情報を記録したときに、残量Ａによれば１０分減って残り５０分が記録できると表示されるものの、残量Ｂによれば２０分減って残り４０分が記録できると表示されるように、減少量が大きいことを示す。
【００３７】
残ＣＥＬＬが足りなく減少は、記録と停止の間隔が短い、言い換えると細切れの撮影をするほど顕著に現れる。よって、放送された数十分の番組を記録することが多い据え置きのレコーダよりも、持ち運んで数秒〜数分のシーンを数多く撮るカメラに特に影響が大きい。
【００３８】
また、残量Ｂの減り方が早い場合には、その旨を知らせるメッセージを表示するようにしてもよい。メッセージは、例えば、「撮影時間をもう少し長くすると、ディスクを有効に使えます」などといった具合である。残量Ｂの減り方が早い場合の検出方法としては、操作部１０３による記録とその停止の操作指示の間隔が短いことをシステムシステム制御部１０７で検出する方法、残量Ａと残量Ｂとの割合又は差が所定量以上に大きいことを検出する方法などがある。
【００３９】
また、記録可能残量Ｂを用いることで、残ＣＥＬＬが０になったときの記録停止シーケンスを、容量が０になった時の従来の記録停止シーケンスに接続できる利点もある。すなわち、ＣＥＬＬ規格の制限による記録停止処理を残容量が空となった場合の記録停止処理に引き込むことができるので、新たな記録停止シーケンスを開発する必要がなく、シンプル化できる。
【実施例２】
【００４０】
実施例１では、記録可能残量Ｂを、記録可能残量ＡにＣＥＬＬの残数の割合（率）を乗算して得た。しかし、ＣＥＬＬ数を勘案した記録可能残量Ｂは、本算出式で得られる値に限定されない。例えば、記録した各シーンの平均時間を求め、これに残セル数を乗算して記録可能残量Ｂとすることも可能である。すなわち、１００シーンを撮ったときの、各シーンの平均時間が１２秒だった場合、残り１５４シーン＊１２秒／（６０秒／分）＝約３０分、となる。この場合でも、容量に基づいた記録可能残量Ａだと、１２秒＊１００シーン／（６０秒／分）＝２０分しか撮っていないので、６０分―２０分で４０分が撮影できると表示されるところを、それよりも短い３０分と補正して表示することができる。
【実施例３】
【００４１】
実施例１では、記録可能残量Ｂだけを表示した（図６参照）。しかし、記録可能残量Ａと共に、残ＣＥＬＬが分かる情報も表示する、いわば併用させてもよい。併用によっても、容量が残っているものの残ＣＥＬＬがなくなったことによる記録停止までの間にユーザに注意を喚起することができる。残ＣＥＬＬが分かる情報としては、実施例１や２の記録可能残量Ｂを表示しても良い。また、残ＣＥＬＬの数値を表示してカウントダウンしたり、円グラフや棒グラフのイメージを表示してそのイメージ上で変色させるなどして残ＣＥＬＬの減少を示してもよい。
【実施例４】
【００４２】
実施例１では、一種類の媒体（例：ＤＶＤ＋ＲＷ）について説明した。しかし、記録装置（例：ビデオカメラ）は、複数種類の媒体に対応できる。図２（ａ）のように、各ＣＥＬＬのＩＤを変更する必要がない媒体やＣＥＬＬの数に制限のない媒体に対しては、実施例１のように記録可能残量Ｂを用いずともよい。ＣＥＬＬに制限値がない場合、実施例１の算出式では記録可能残量Ｂを算出できない。そこで、媒体Ｒ／Ｗ部１０６で取得した媒体の情報を基に、フォーマット処理部で挿入された媒体の種類を識別し、この識別に応じて記録可能残量Ｂの使用／不使用のモードを切り替えてもよい。例えば、ＤＶＤ＋ＲＷでは図６のように処理して表示し、ＤＶＤ−ＲＷでは図５のように処理して表示する。また、使用／不使用に限らず、媒体の種類に応じて記録可能残量の算出又は表示のモードを切り替えるようにしてもよい。
【実施例５】
【００４３】
さらに、電源部１０５に充電された電力の残量や独自管理ファイルが書かれている領域の容量の残量と連動させてもよい。電力の残量は、電源部１０５から残りの電力をシステム制御部１０７で取得する。容量の残量は、事前にメモリ１０４などで予約した容量から現在使用している容量を引けばよい。
【００４４】
以上、実施例１から５で説明したように、最小構成であるＣＥＬＬの制限がある媒体では記録途中に記録停止をする必要があるところ、本実施形態によれば、容量の残量に残ＣＥＬＬを連動することで自然に残量が減少し突然記録停止が起きたと感じるような不快感が減少する。もし、残量の表示が記録中に徐々に０になれば、ユーザも戸惑うことなく記録停止を予想できるはずである。ＣＥＬＬの残数が極端に少なくなっていった場合にも残量がそれに応じて徐々に減っていき、意図しないタイミングでの記録停止による不快感を避けることができる。
【００４５】
また、ＣＥＬＬの制限について詳細記述したが、媒体の容量に空きがあっても記録できなくなる問題に関しては、セットの残電力量や内部で管理している独自管理情報などの領域の制限でも同様なことが起きる場合があると考えられ、これらに基づいて制御するようにしてもよい。なお、独自管理情報を使用する場合には、追記型のように一度しか規格の情報を書き込めないために独自で管理する必要がある場合を想定している。一度しか書き込めない為、シーンを記録するごとに最新情報を更新していかなければならない。その為独自管理情報を管理する領域を初期化の時に規定しておくのである。この領域の残容量がなくなればこれも記録できない要因となる。
【図面の簡単な説明】
【００４６】
【図１】記録装置の構成を例示したブロック図である。
【図２】ＶＯＢＳのデータ構成の違いを例示した図である。
【図３】ＣＥＬＬの制限で記録が停止する様子を例示した図である。
【図４】残ＣＥＬＬ数と記録可能残時間との関係の例示した図である。
【図５】残ＣＥＬＬ数を考慮しない残量表示を例示した図である。
【図６】残ＣＥＬＬ数を考慮した残量表示を例示した図である。
【図７】記録装置の構成を例示したブロック図である。
【符号の説明】
【００４７】
１００・・・入力部
１０１・・・ＡＶ情報処理部
１０２・・・フォーマット処理部
１０３・・・操作部
１０４・・・メモリ
１０５・・・電源部
１０６・・・媒体リーダライタ部
１０７・・・システム制御部
１０８・・・残量制御部
１０９・・・出力部
２００・・・ＶＯＢＳ構成
２０１・・・ＶＯＢ構成
２０２・・・ＣＥＬＬ構成
２０３・・・ＶＯＢ構成
２０４・・・ＣＥＬＬ構成
４００・・・残ＣＥＬＬ数を考慮しない残量（残量Ａ）の傾向
４０１・・・残ＣＥＬＬ数を考慮した残量（残量Ｂ）の傾向
５００，５１０，５２０・・・残量表示
５０１，５１１，５２１・・・容量残量
５０２・・・記録可能なＣＣＤからのスルー映像
５０３・・・記録モード
５０４・・・記録媒体
５０５・・・現在時間
５２２・・・残量が無い旨を知らせる表示
５２３・・・情報表示バー
６００，６１０，６２０・・・残量表示
６０１，６１１，６２１・・・容量残量
６０２・・・カメラＥＥ画
６０３・・・記録モード
６０４・・・記録媒体
６０５・・・現在時間
６２２・・・残量が無い旨を知らせる表示
【図１】
2007294052.tif 000003
【図２】
2007294052.tif 000004
【図３】
2007294052.tif 000005
【図４】
2007294052.tif 000006
【図５】
2007294052.tif 000007
【図６】
2007294052.tif 000008
【図７】
2007294052.tif 000009